(57)【要約】【課題】  内部に挿入した電子機器を充電する機能を有する電子機器ケースを提供する。【解決手段】  バッテリ８はケース内部に設置されている。ケース外面には、フィルムソーラーセル３および透明の外装体からなるソーラーセル部材とが取り付けられる。電源プラグ１０は交流電圧を直流低電圧に変換するコンバータ１１に接続されている。切替回路１２は、コンバータ１１の出力がある時はその出力を、ない時はフィルムソーラーセル３の出力をドライブ／チャージ回路１３へ出力する。ドライブ／チャージ回路１３は切替回路１２の出力によってバッテリ８を充電する。また、バッテリ８の出力をＩ／Ｏ回路１４を介して出力端子５およびＬＥＤ７へ出力する。ケースに挿入された電子機器に出力端子５が接続されると、出力端子５の電圧によって電子機器内部の電池が充電される。【選択図】    図１
2007014117.tif 000002
【特許請求の範囲】
【請求項１】
充電式電池またはバッテリと、
ソーラーセルおよび前記ソーラーセルを保持する透明の外装体からなり、ケース外面に配置されたソーラーセル部材と、
交流電圧を直流低電圧に変換するコンバータと、
前記ソーラーセルまたは前記コンバータの出力の一方を前記充電式電池またはバッテリへ加える充電回路と、
前記充電式電池またはバッテリの出力が加えられる出力端子と、
を具備することを特徴とする電子機器ケース。
【請求項２】
前記ソーラーセルは蒸着ベースがプラスチックフィルム、ステンレスまたはアルミシートであるフィルムソーラセルであることを特徴とする請求項１に記載の電子機器ケース。
【請求項３】
前記外装体は透明樹脂によって形成されていることを特徴とする請求項１または請求項２に記載の電子機器ケース。
【発明の詳細な説明】
【技術分野】
【０００１】
本発明は、携帯電話、携帯型パーソナルコンピュータ等の携帯型電子機器を収納する電子機器ケースに係り、特に、電子機器内の電池を充電する機能を有する電子機器ケースに関する。
【背景技術】
【０００２】
携帯電話や携帯型パーソナルコンピュータは、使用によって内蔵電池が消耗し使用不可能になる恐れがある。このため、ユーザは、常時、電池寿命を気にしながら使用しなければならなかった。また、通常、携帯電話の電池を充電する充電器は自宅にしか設置されておらず、このため、一度、家を出ると帰宅するまで充電する機会が無く、外出先で長時間電話をかけることができないという問題があった。
なお、このような問題を解決する従来の技術として、特許文献１、２に記載される技術が知られている。
【特許文献１】特開2002-359676号公報
【特許文献２】特開2005-129987号公報
【発明の開示】
【発明が解決しようとする課題】
【０００３】
本発明は上記事情を考慮してなされたもので、その目的は、内部に挿入した電子機器を充電する機能を有する電子機器ケースを提供することにある。
【課題を解決するための手段】
【０００４】
この発明は上述した課題を解決するためになされたもので、請求項１に記載の発明は、充電式電池またはバッテリと、ソーラーセルおよび前記ソーラーセルを保持する透明の外装体からなり、ケース外面に配置されたソーラーセル部材と、交流電圧を直流低電圧に変換するコンバータと、前記ソーラーセルまたは前記コンバータの出力の一方を前記充電式電池またはバッテリへ加える充電回路と、前記充電式電池またはバッテリの出力が加えられる出力端子とを具備することを特徴とする電子機器ケースである。
【０００５】
請求項２に記載の発明は、請求項１に記載の電子機器ケースにおいて、前記ソーラーセルは蒸着ベースがプラスチックフィルム、ステンレスまたはアルミシートであるフィルムソーラセルであることを特徴とする。
請求項３に記載の発明は、請求項１または請求項２に記載の電子機器ケースにおいて、前記外装体は透明樹脂によって形成されていることを特徴とする。
【発明の効果】
【０００６】
この発明によれば、ソーラーセルおよびそれを保持する透明の外装体からなるソーラーセル部材をケース外面に配置し、該ソーラーセルの発電電力によって内部の充電式電池またはバッテリを充電し、その電池またはバッテリによってケースに挿入された電子機器を充電するので、充電器が用意されていない外出先においても電子機器を充電することができる効果がある。また、請求項２の発明によれば、フィルムソーラーセルと外装体からなるソーラーセル部材を用いているので、従来のガラスソーラーセルに比較し、自由な形状が可能、低コスト、衝撃に強い等の利点が得られる。
【発明を実施するための最良の形態】
【０００７】
以下、図面を参照し、この発明の実施の形態について説明する。図１はこの発明の一実施の形態による電子機器ケースの電気的構成を示すブロック図であり、この図に示す電子機器ケースは携帯電話を収納する携帯電話ケースである。また、図２は同携帯電話ケースの斜視図、図３は一部断面図である。
【０００８】
この携帯電話ケースは皮または合成繊維によって形成され、図２に示すように、一面にシート状のソーラーセル部材１が設けられている。このソーラーセル部材１は、図３に示すように、透明樹脂（アクリルまたはポリカーボネイト）による外装体２と、この外装体２の内面に貼付されたフィルムソーラーセル３とから構成されている。フィルムソーラーセル３は蒸着ベースがフィルム、ステンレス、アルミシート等非常に薄い素材に面蒸着することによって形成されており、自由な形状に形成でき、ショックに強く、多数個取り、抜き打ち形成で多彩な形状のものを低コストで作成できるメリットがある。また、このフィルムソーラーセル３と外装体２は、接着、超音波溶接、インモールド、インサート成形等の方法によって組み合わせられ、一体化されている。
【０００９】
また、携帯電話ケースの内部の下部には基板４が設けられ、この基板４に端子５、回路ユニット６が取り付けられている。また、回路ユニット６にＬＥＤ（発光ダイオード）７が取り付けられ、さらに、ケースの最下部に配置されたバッテリ（充電式電池）８が回路ユニット６に接続されている。また、ケースの側面下部（図２参照）には、小孔１６、１７が形成され、小孔１６を臨んで上述したＬＥＤ７が設置され、また小孔１７を通して電源コードが取り付けられる。
【００１０】
次に、図１において、１０は電源プラグであり、１００ボルトの商用電源コンセントに接続される。１１はコンバータであり、１００ボルト商用電源を降圧した後、整流して直流電圧に変換し、切替回路１２へ出力する。切替回路１２はコンバータ１１から直流電圧が出力される時はその直流電圧をドライブ／チャージ回路１３へ出力し、コンバータ１１の出力が０の時は、ソーラーセル３の出力をドライブ／チャージ回路１３へ出力する。ドライブ／チャージ回路１３は、切替回路１２の出力によってバッテリ８を充電すると共に、バッテリ８の出力電圧をＩ／Ｏ回路１４を介してＬＥＤ７および出力端子５へ加える。
なお、上述した切替回路１２、ドライブ／チャージ回路１３、Ｉ／Ｏ回路１４が図３における回路ユニット６内に設けられている。
【００１１】
次に、上述した回路の動作を説明する。
まず、ユーザが携帯電話機をケース内に挿入すると、携帯電話機の接続端子と出力端子５とが接続される。これにより、バッテリ８の出力電圧がドライブ／チャージ回路１３、Ｉ／Ｏ回路１４、出力端子５を介して携帯電話機に加えられ、携帯電話機の電池がバッテリ８の出力電圧によって充電される。また、バッテリ８の出力電圧によりＬＥＤ７が点灯する。
【００１２】
一方、ケースのソーラーセル部材１を太陽光または室内光に向けると、ソーラーセル３が発電し、その発電電力が切替回路１２を介してドライブ／チャージ回路１３へ入力される。ドライブ／チャージ回路１３はソーラーセル３の出力電力によってバッテリ８を充電する。また、ユーザが電源プラグ１０を商用電源コンセントに差し込むと、コンバータ１１が直流低電圧を切替回路１２へ出力する。切替回路１２はコンバータ１１の出力をドライブ／チャージ回路１３へ供給し、ドライブ／チャージ回路１３がその電圧によってバッテリ８を充電する。
【００１３】
このように、上記実施形態による携帯電話ケースによれば、携帯電話機をケース内に挿入すると、バッテリ８の電力によって携帯電話機内の電池が自動的に充電される。また、バッテリ８は、ソーラーセル３の発電電力によって、ケースが太陽光または室内光の下にある限り、自動的に充電され、また、太陽光、室内光がない状態においても、電源プラグ１０をコンセントに差し込むことによって自動的に充電される。この結果、携帯電話機のユーザは内蔵電池の消耗をほとんど気にすることなく携帯電話機を使用することができる。
【００１４】
次に、ソーラーセルの取り付け構造についてさらに説明する。
図７（ａ）において、符号２ａは透明樹脂による外装体、３ａはソーラーセルであり、これらによってソーラーセル部材１ａが構成されている。外装体２ａとソーラーセル３ａはインモールド成型、インサート成型、二重成形、熱圧縮成形、超音波溶着、両面テープ、接着等で一体化され、ケースを構成する構造体３０と組み合わせられている。この場合、ソーラーセル部材１ａがケースの一部を構成している。ソーラーセル部材１ａは上記各種の成形方法とフイルムソーラーセル３ａの成形により外部部材に合わせ自由な形状と自由な面積設定が可能となり、従来より広いソーラーセルの受光面積確保も可能となる。
【００１５】
図７（ｂ）において、ソーラーセル部材１ｂは、ソーラーセル３ｂをインモールド成型、インサート成型、多重成形、樹脂封印、熱圧縮成形、超音波溶着、両面テープ、接着等で、透明樹脂による外装体２ｂの内部に埋め込んだものであり、ケースを構成する構造体３０と組み合わせられている。
図７（ｃ）は平面の場合であり、透明樹脂による外装体２ｃとソーラーセル３ｃを、上記の様な各種成形叉は接着等により一体化し、平面状のソーラーセル部材１ｃを形成している。
【００１６】
次に、この発明の第２の実施形態について説明する。図４はこの発明の第２の実施形態による手提げ型パーソナルコンピュータ収納ケースであり、ケース前面には、図２におけるソーラーセル部材１と同様のソーラーセル部材１ａが取り付けられ、ケース内部の下部には図１に示す各回路およびバッテリがセットされ、また、ケース側面の下部には、上述した携帯電話ケースと同様に小孔１６ａ、１７ａが形成されている。
【００１７】
図５も手提げ型パーソナルコンピュータ収納ケースであり、ケース前面には、図２におけるソーラーセル部材１と同様のソーラーセル部材１ｂが取り付けられ、ケース内部の下部には各回路およびバッテリがセットされ、また、ケース側面の下部には、小孔１６ｂ、１７ｂが形成されている。
【００１８】
図６はこの発明の第３の実施形態による背負い型パーソナルコンピュータ収納ケースであり、ケース前面には、図２におけるソーラーセル部材１と同様のソーラーセル部材１ｃが取り付けられ、ケース内部の下部には各回路およびバッテリがセットされ、また、ケース側面の下部には、小孔１６ｃ、１７ｃが形成されている。
【００１９】
なお、この発明は、前述した携帯電話機、パーソナルコンピュータのケースに限らず、例えば、デジタルカメラ、携帯型音楽鑑賞装置、ＰＤＡ、携帯型ゲーム機等種々の電子機器のケースに適用可能である。
また、この発明は、フィルムソーラーセルに限らず、他の種のソーラーセルも使用可能である。
【産業上の利用可能性】
【００２０】
この発明は、携帯電話、携帯型パーソナルコンピュータ等の携帯型電子機器を収納する電子機器ケースに用いられる。
【図面の簡単な説明】
【００２１】
【図１】この発明の第１の実施形態による携帯電話ケースの電気的構成を示すブロック図である。
【図２】同携帯電話ケースの構成を示す斜視図である。
【図３】同携帯電話ケースの一部断面図である。
【図４】この発明の第２の実施形態による手提げ型パーソナルコンピュータ収納ケースの構成を示す斜視図である。
【図５】同第２の実施形態の変形例を示す斜視図である。
【図６】この発明の第３の実施形態による背負い型パーソナルコンピュータ収納ケースの構成を示す斜視図である。
【図７】ソーラーセルの取り付け構造を説明するための断面図である。
【符号の説明】
【００２２】
１…ソーラーセル部材、
２…外装体
３…フィルムソーラーセル
４…基板
５…出力端子
７…ＬＥＤ
８…バッテリ
１０…電源プラグ
１１…コンバータ
１２…切替回路
１３…ドライブ／チャージ回路
１４…Ｉ／Ｏ回路
【図１】
2007014117.tif 000003
【図２】
2007014117.tif 000004
【図３】
2007014117.tif 000005
【図４】
2007014117.tif 000006
【図５】
2007014117.tif 000007
【図６】
2007014117.tif 000008
【図７】
2007014117.tif 000009